(57)【特許請求の範囲】
【請求項１】
略長方形状の不織布に対し該不織布の一方の縁より他方の縁の近傍に至る多数の略平行な切り込みを当該他方の縁に切り込みのない取付部が残るようにして設けることにより清掃片を形成し、該清掃片を該取付部により支持体に多数枚取り付けてなる清掃用具において、
前記清掃片の取付部を、棒状の支持体に螺旋状に接着し、又は楕円状の支持体に渦巻き状に接着したことを特徴とする清掃用具。
【請求項２】
略長方形状の不織布に対し該不織布の相対向する二つの縁より該不織布の中央部の近傍に至る多数の略平行な切り込みを該中央部に切り込みのない取付部が残るようにして設けることにより清掃片を形成し、該清掃片を該取付部により支持体に多数枚取り付けてなる清掃用具において、
前記清掃片の取付部を、棒状の支持体に螺旋状に接着し、又は楕円状の支持体に渦巻き状に接着したことを特徴とする清掃用具。
【発明の詳細な説明】
【０００１】
【発明の属する技術分野】
本発明は清掃用具に関するものであり、更に詳しくは、ＯＡ機器、家電製品、自動車、家具、ガラス製品等のホコリ除去、拭き取り等の清掃作業に用いられる清掃用具に係るものである。
【０００２】
【従来の技術】
このような清掃用具としては、多数本の短冊状織布又は紐状体を支持体に固定してなるハタキ、モップ等が従来より使用されている。
【０００３】
【発明が解決しようとする課題】
しかるに、上記従来の清掃用具においては、織布又は紐を所定の長さに切り揃えて多数本の短冊状織布又は紐状体を形成し、これらの短冊状織布又は紐状体の端部をそれぞれ支持体に取り付けるようにしているため、製造作業が面倒であって生産性が悪く、製造コストが嵩むという問題がある。
本発明は上記従来の清掃用具におけるこのような問題を解決しようとしてなされたものである。
【０００４】
【課題を解決するための手段】
上記課題を解決するために、本発明は下記の清掃用具を提供するものである。
【０００５】
（１）略長方形状の不織布に対し該不織布の一方の縁より他方の縁の近傍に至る多数の略平行な切り込みを当該他方の縁に切り込みのない取付部が残るようにして設けることにより清掃片を形成し、該清掃片を該取付部により支持体に多数枚取り付けてなる清掃用具において、
前記清掃片の取付部を、棒状の支持体に螺旋状に接着し、又は楕円状の支持体に渦巻き状に接着したことを特徴とする清掃用具（請求項１）。
【０００６】
（２）略長方形状の不織布に対し該不織布の相対向する二つの縁より該不織布の中央部の近傍に至る多数の略平行な切り込みを該中央部に切り込みのない取付部が残るようにして設けることにより清掃片を形成し、該清掃片を該取付部により支持体に多数枚取り付けてなる清掃用具において、
前記清掃片の取付部を、棒状の支持体に螺旋状に接着し、又は楕円状の支持体に渦巻き状に接着したことを特徴とする清掃用具（請求項２）。
なお、特許請求の範囲を含む本明細書における「略平行な切り込み」は直線状の切り込みに限定されるものではなく、例えばジグザグ状等の切り込みをも含むものである（図３参照）。
【０００７】
【作用】
［請求項１の清掃用具］
請求項１の清掃片においては、取付部の一側縁に多数の略短冊状部が連設された状態となる。換言すれば、多数の略短冊状部はその基部において取付部に連続している。従って、清掃片を支持体に取り付ける際には、清掃片の取付部を支持体に固定すればよく、略短冊状部を各別に支持体に固定する必要はない。故に、清掃用具の製造は極めて容易である。
【０００８】
請求項１の清掃用具は支持体に多数の不織布の略短冊状部が取付部を介して植設された状態となるものであり、ＯＡ機器、家電製品、自動車、家具、ガラス製品等のホコリ除去、拭き取り等の清掃作業に通常のハタキ、拭き具或いはモップと同様にして用いられる。不織布の略短冊状部は繊維のケバによりホコリを取り込む。また、不織布の略短冊状部は、織布と異なり切り口がほつれることがない。
【０００９】
［請求項２の清掃用具］
請求項２の清掃片においては、取付部の両側縁に多数の略短冊状部が連設された状態となる。換言すれば、多数の略短冊状部はその基部において取付部に連続している。従って、清掃片を支持体に取り付ける際には、清掃片の取付部を支持体に固定すればよく、略短冊状部を各別に支持体に固定する必要はない。故に、清掃用具の製造は極めて容易である。
【００１０】
請求項１の清掃用具は支持体に多数の不織布の略短冊状部が取付部を介して植設された状態となるものであり、ＯＡ機器、家電製品、自動車、家具、ガラス製品等のホコリ除去、拭き取り等の清掃作業に通常のハタキ、拭き具或いはモップと同様にして用いられる。不織布の略短冊状部は繊維のケバによりホコリを取り込む。また、不織布の略短冊状部は、織布と異なり切り口がほつれることがない。
【００１１】
【発明の実施の形態】
次に、本発明の実施の形態を添付図面に従って説明する。
符号１に示すものは清掃片である。清掃片１は略長方形状の不織布３に対し該不織布３の一方の縁３ａより他方の縁３ｂの近傍に至る多数の略平行な切り込み５を当該他方の縁３ｂに切り込みのない取付部７が残るようにして設けることにより形成する。符号８に示すものは多数の略平行な切り込み５により形成された略短冊状部である。不織布３は好ましくは極細異形断面糸の不織布を用いる。極細異形断面糸の不織布３は好ましくは化学繊維よりなるものとし、一例としてポリプロピレン５０％とポリエステル５０％とよりなるものとする。極細異形断面糸の不織布３を用いた場合には、繊維中にホコリを取り込むためホコリ除去効果が大きく、拭き取り効果に優れており、ガラス面等の油膜を効果的に除去することができる。また、化学繊維を用いた極細異形断面糸の不織布３は静電気によりホコリを吸着する。
【００１２】
符号１’に示すものは上記清掃片１を複数枚重ねた状態で取付部７にて相互に縫着してなる清掃片である。符号９に示すものは縫着線である。
【００１３】
符号１１に示すものは上記清掃片１の変形例である。この清掃片１１は、略長方形状の不織布１３に対し該不織布１３の相対向する二つの縁１３ａ、１３ｂより該不織布１３の中央部１３ｃの近傍に至る多数の略平行な切り込み１５を該中央部１３ｃに切り込みのない取付部１７が残るようにして設けることにより形成する。符号１８に示すものは多数の略平行な切り込み５により形成された略短冊状部である。
【００１４】
符号１１’に示すものは上記清掃片１１を複数枚重ねた状態で取付部１７にて相互に縫着してなる清掃片である。符号１９に示すものは縫着線である。
【００１５】
上記清掃片１（１１）を取付部７（１７）により支持体２１に多数枚取り付ける。支持体２１は棒状体、台状体、板状体等その形状の如何を問わない。また、支持体２１は合成樹脂、木、金属等その材料の如何をも問わない。清掃片１（１１）を取付部７（１７）により支持体２１に多数枚取り付ける際には、一例として清掃片１（１１）の取付部７（１７）を支持体２１に接着する。図５に示す事例においては、清掃片１（１１）の取付部７（１７）を棒状の支持体２１に螺旋状に接着している。図７に示す事例においては、清掃片１（１１）の取付部７（１７）を楕円状の支持体２１に渦巻き状に接着している。
【００１６】
なお、特許請求の範囲において、「該清掃片を該取付部により支持体に多数枚取り付ける」には、上記清掃片１（１１）を取付部７（１７）により支持体２１に多数枚取り付ける場合の他、上記清掃片１’（１１’）を取付部７（１７）により支持体２１に多数枚取り付ける場合も含まれることはいうまでもない。
【００１７】
【発明の効果】
［請求項１の清掃用具］
請求項１の清掃片は、略長方形状の不織布に対し多数の略平行な切り込みを設けることにより、容易に製造される。この清掃片は取付部の一側縁に多数の略短冊状部が連設されてなるものであり、多数の略短冊状部はその基部において取付部に連続している。従って、清掃片を支持体に取り付ける際には、清掃片の取付部を支持体に固定すればよく、略短冊状部を各別に支持体に固定する必要はない。故に、清掃用具の製造は極めて容易であり、該清掃用具は生産性が高く、安価に提供することができる。
【００１８】
請求項１の清掃用具は支持体に多数の不織布の略短冊状部が取付部を介して植設された状態となるものであり、該略短冊状部の繊維のケバによりホコリを好ましく取り込む。また、不織布の略短冊状部は、織布と異なり切り口がほつれることがない。
【００１９】
［請求項２の清掃用具］
請求項２の清掃片は取付部の両側縁に多数の略短冊状部が連設されてなるものであるが、請求項２の清掃用具は上記請求項１の清掃用具と同様の効果を発揮する。
【図面の簡単な説明】
【図１】清掃片の一例を示す斜視図である。
【図２】清掃片の別の一例を示す斜視図である。
【図３】清掃片の更に別の一例を示す斜視図である。
【図４】清掃片の更に別の一例を示す斜視図である。
【図５】清掃片を支持体に取り付ける状態を概略的に示す説明図である。
【図６】本発明による清掃用具の一例を示す正面図である。
【図７】清掃片を別の支持体に取り付ける状態を概略的に示す説明図である。
【図８】本発明による清掃用具の別の一例を示す側面図である。
【図９】本発明による清掃用具の一部を示す正面図である。
【符号の説明】
１  清掃片
１’  清掃片
３  略長方形状の不織布
３ａ  縁
３ｂ  縁
５  切り込み
７  取付部
８  略短冊状部
９  縫着線
１１  清掃片
１１’  清掃片
１３  略長方形状の不織布
１３ａ  縁
１３ｂ  縁
１３ｃ  中央部
１５  切り込み
１７  取付部
１８  略短冊状部
１９  縫着線
２１  支持体
【図１】
0003808652.tif 000002
【図２】
0003808652.tif 000003
【図３】
0003808652.tif 000004
【図４】
0003808652.tif 000005
【図５】
0003808652.tif 000006
【図６】
0003808652.tif 000007
【図７】
0003808652.tif 000008
【図８】
0003808652.tif 000009
【図９】
0003808652.tif 000010